(57)【要約】【課題】壁パネルの表側、裏側のどちら側にも壁パネル取付用の金物類を露出させることなく、壁パネルを容易に確実、かつ精度良く、しかも高耐剪断力で建物の躯体側のコンクリートに取り付けること。【解決手段】建物への壁パネルの取付構造であって、壁パネル１の小口１ａから壁パネル１の面内方向に向かって設けられた長孔部２に棒状部材４が挿入されており、棒状部材４の壁パネル１に挿入されていない側の端部４ａを躯体コンクリート３に当接させ、端部４ａの周囲を硬化物５で覆い、棒状部材４と躯体コンクリート３を硬化物５で一体化して固定することを特徴とする、壁パネルの取付構造。【選択図】図１
2008196198.tif 000002
【特許請求の範囲】
【請求項１】
建物への壁パネルの取付構造であって、
前記壁パネルの小口から前記壁パネルの面内方向に向かって設けられた長孔部に棒状部材が挿入されており、前記棒状部材の前記壁パネルに挿入されていない側の端部と前記躯体コンクリートを硬化物で一体化して固定することを特徴とする、壁パネルの取付構造。
【請求項２】
前記壁パネルと前記躯体コンクリートとの間で前記棒状部材に溶接固定されるパネル支持部材によって、前記壁パネルの前記躯体コンクリート側への動きが拘束されることを特徴とする、請求項１に記載の壁パネルの取付構造。
【請求項３】
前記壁パネルと前記躯体コンクリートとの間で前記棒状部材と螺合するパネル支持部材によって、前記壁パネルの前記躯体コンクリート側への動きが拘束されることを特徴とする、請求項１または２に記載の壁パネルの取付構造。
【請求項４】
前記壁パネルと前記躯体コンクリートとの間に、モルタル層、コンクリート層の少なくとも一層を有することを特徴とする、請求項１乃至３のいずれかに記載の壁パネルの取付構造。
【請求項５】
建物への壁パネルの取付方法であって、
前記壁パネルの小口から前記壁パネルの面内方向に向かって設けられた長孔部に棒状部材が挿入される段階と、
前記棒状部材の前記壁パネルに挿入されていない側の端部を躯体コンクリートに当接させる段階と、
前記棒状部材と螺合しまたは溶接固定されるパネル支持部材によって前記壁パネルが躯体から任意の離れ位置に設置される段階と、
前記棒状部材と前記躯体コンクリートを硬化物で一体化して固定する段階と、
を有することを特徴とする、壁パネルの取付方法。
【発明の詳細な説明】
【技術分野】
【０００１】
本技術は主にＲＣ造、ＳＲＣ造の建物の梁、柱、スラブ、壁等、躯体側のコンクリート部分への壁パネルの取付構造及び取付方法に関する。本発明はＰＣ板、ＡＬＣ板、押出成形板等、コンクリート系の壁パネルに好適に適用できる。
【背景技術】
【０００２】
躯体コンクリートに壁パネルを取り付ける一般的な例を図３を用いて説明する。図３は、従来例に係る壁パネルの下部と躯体との接続部を示す図であり、（ａ）が断面図で（ｂ）が内観図である。本例では、壁パネルとしてＡＬＣの壁パネルを用いた例を説明する。
【０００３】
図３に示すように、躯体コンクリート１４には、下地アングル１６を取り付けるための埋込プレート１５が設けられる。下地アングル１６は、埋込プレート１５に溶接されることにより躯体コンクリート１４に固定される。壁パネル１３は、ボルト１７、アンカー鋼棒１８及びイナヅマ金物１９より構成される取付ファスナーにより、下地アングル１６に取付固定される。
【０００４】
躯体コンクリートにＡＬＣ壁パネルを取り付ける場合、一般的な工法として図３に示すような工法が挙げられる。この工法では、まず、躯体コンクリートに取り付けられた埋込プレート１５に、下地アングル１６を溶接等により溶着固定する。そして、壁パネル１３をボルト１７、アンカー鋼棒１８、イナヅマ金物１９等の取付ファスナーを用いて、下地アングル１６に取り付ける。なお、図３において、２０はライナーであり、２１はシーリング材である。
【０００５】
上記の技術と同様の技術は、非特許文献１にも掲載されている。また、躯体コンクリートに壁パネルを取り付ける際に高さを調整できる技術がある（例えば、特許文献１を参照）。また、風圧力が作用しない間仕切壁パネルを躯体コンクリートに取付金物を露出させずに取り付ける技術もある（例えば、特許文献２を参照）。
【０００６】
【非特許文献１】日本建築学会、「建築工事標準仕様書・同解説 ＪＡＳＳ２１ ＡＬＣパネル工事2005」４２頁「解説図３．３  鉄筋コンクリート造におけるロッキング構法の取付け例」
【特許文献１】特開平１０−２０４７
【特許文献２】特開２００５−４８４９２
【発明の開示】
【発明が解決しようとする課題】
【０００７】
建物の躯体コンクリートに壁パネルを取り付ける場合、一般的には図３や非特許文献１のように、壁パネルを取り付けるための下地アングル、取付ファスナー等の金物類がパネルの表側あるいは裏側のどちらかに露出する。このため、金物類が仕上げ工事の障害となる場合があり、仕上げ表面からなお金物類が突出して見栄えが悪い場合もある。
【０００８】
また、前記壁パネルから金物類が突出していると、身体の一部を引っかけて怪我をする恐れがあるため、さらなる安全性の向上も求められている。
【０００９】
本発明の第１の目的は、壁パネルの表側、裏側のどちら側にも壁パネル取付用の金物類を露出させないことである。
【００１０】
次に、特許文献１の技術は高さの調整寸法の単位がライナー２０の厚さに依存するため、高さの微調整がしづらい、あるいは、基礎またはスラブ上にパネルを載置した後に再度高さ調整をする必要がある場合、いちいちパネルを棒状部材から取り外した後に棒状部材に所望厚さのライナーを挿通させなくてはならず、作業が煩雑になるという問題があった。
【００１１】
本発明の第２の目的は、壁パネルの高さ（躯体コンクリートからの離れ寸法）を容易に精度良く調整することである。
【００１２】
さらに、特許文献２では、コンクリート釘を打ち込んだ際、コンクリート部にクラック、欠け等の欠陥が発生しやすいためコンクリート釘の長手方向に直交する方向の力に対する信頼性が低い、コンクリート釘に繰り返し剪断荷重がかかった場合の金属疲労破壊に対する信頼性が不明、コンクリート釘自体の剪断耐力が小さい、等の理由により、このままでは風圧力が作用する外壁パネルには使用し難いという問題があった。また、この技術は躯体コンクリートからの壁パネルの高さの調整が殆どできないという問題もあった。
【００１３】
本発明の第３の目的は、外壁のように風圧力等の大きな水平力が作用する部位にも使用可能な高耐剪断力の取付構造を提供することである。
【００１４】
つまり、本発明の目的は、壁パネルの表側、裏側のどちら側にも壁パネル取付用の金物類を露出させることなく、壁パネルを容易に確実、かつ精度良く、しかも高耐剪断力で建物の躯体側のコンクリートに取り付けることができる取付構造及び取付方法を提供することである。
【課題を解決するための手段】
【００１５】
前記目的を達成するための手段として、本発明は次の構成及び方法を有する。
【００１６】
（１）
建物への壁パネルの取付構造であって、前記壁パネルの小口から前記壁パネルの面内方向に向かって設けられた長孔部に棒状部材が挿入されており、前記棒状部材の前記壁パネルに挿入されていない側の端部と前記躯体コンクリートを硬化物で一体化して固定することを特徴とする、壁パネルの取付構造。
【００１７】
（２）
前記壁パネルと前記躯体コンクリートとの間で前記棒状部材に溶接固定されるパネル支持部材によって、前記壁パネルの前記躯体コンクリート側への動きが拘束されることを特徴とする、（１）に記載の壁パネルの取付構造。
【００１８】
（３）
前記壁パネルと前記躯体コンクリートとの間で前記棒状部材と螺合するパネル支持部材によって、前記壁パネルの前記躯体コンクリート側への動きが拘束されることを特徴とする、（１）または（２）に記載の壁パネルの取付構造。
【００１９】
（４）
前記壁パネルと前記躯体コンクリートとの間に、モルタル層、コンクリート層の少なくとも一層を有することを特徴とする、（１）乃至（３）のいずれかに記載の壁パネルの取付構造。
【００２０】
（５）
建物への壁パネルの取付方法であって、前記壁パネルの小口から前記壁パネルの面内方向に向かって設けられた長孔部に棒状部材が挿入される段階と、前記棒状部材の前記壁パネルに挿入されていない側の端部を躯体コンクリートに当接させる段階と、前記棒状部材と螺合しまたは溶接固定されるパネル支持部材によって前記壁パネルが躯体から任意の離れ位置に設置される段階と、前記棒状部材と前記躯体コンクリートを硬化物で一体化して固定する段階と、を有することを特徴とする、壁パネルの取付方法。
【発明の効果】
【００２１】
上記構成および方法により、壁パネルの表側、裏側のどちら側にも壁パネル取付用の金物類を露出させない。このため、外観及び内観においていずれも、壁パネルの意匠性を向上させることができる。また、壁パネルの高さ（躯体コンクリートからの離れ寸法）を自在に容易に精度良く調整することができる。更に、外壁のように風圧力等の大きな水平力が作用する部位にも好適である。したがって、壁パネルの表側、裏側のどちら側にも壁パネル取付用の金物類を露出させることなく、壁パネルを容易に確実、かつ精度良く、しかも高耐剪断力で建物の躯体側のコンクリートに取り付けることができる。
【発明を実施するための最良の形態】
【００２２】
図を用いて本発明の一実施形態を具体的に説明する。図１は躯体コンクリートへの壁パネル取付構造の骨子を示す断面図である。なお、壁パネルの取付部の構造として、以下の説明においては壁パネルの下部構造のみを例示して説明する。図示しないが、壁パネルの側部や上部のうちの１箇所以上に、壁パネルの面外方向の力に対する何らかの拘束手段を設けることとする。また、本実施形態の取付構造を壁パネルの側面に適用した場合には、もう一方の側部、上部、下部のうちの１箇所以上に、壁パネルの面外方向の力に対する何らかの拘束手段を設けることとする。
【００２３】
図１（ａ）に示すように、本実施形態の壁パネルの取付構造においては、壁パネル１の小口１ａから壁パネル１の面内方向に向かって設けられた長孔部２に棒状部材４が挿入されている。
【００２４】
このように構成することで、壁パネル１の表側、裏側のどちら側にも壁パネルの取付用の金物類を一切露出させることなく、壁パネルを容易に確実、かつ精度良くしかも高耐力で建物の躯体側のコンクリートに取り付けることが可能となり、見栄えの良い、すっきりとした納まりにすることができる。
【００２５】
また、図１（ａ）に示すように、棒状部材４の壁パネル１に挿入されていない側の端部４ａを躯体コンクリート３に当接させ、端部４ａの周囲を硬化物５で覆い、棒状部材４と躯体コンクリート３を硬化物５で一体化して固定する。ここで、本実施形態においては図１に示すように、硬化物５は棒状部材４の周囲の狭い範囲であるが、躯体コンクリート３が床スラブで、床スラブ上部全面に仕上げモルタル層（硬化物）を形成するような場合には、硬化物５の広さ（大きさ）は広い範囲となる。なお、硬化物５としては、モルタル、コンクリート、樹脂系の接着剤等、硬化前に成形でき、成形後に形状が崩れない硬さで、硬化後に所要の強度を発現するものであれば何でも良い。例えば、モルタルであれば、ある程度水分を抑えた硬練りのモルタルが適している。
【００２６】
このように構成することで、棒状部材４は、躯体コンクリート３の表面の任意位置へ固定することができる。すると、躯体コンクリート３側に壁パネル１を取り付ける金物類を固定するための埋込プレート１５等の受け金物を必要としない。したがって、部材点数を省略することができ、経済的である。また、躯体コンクリート３側に埋込プレート１５等の受け金物を事前に設ける従来の構法では、受け金物位置と壁パネル位置が大きくずれた場合、誤差吸収が困難な場合が多いが、本発明ではそのような心配はない。
【００２７】
また、図１（ｂ）に示すように、壁パネル１と躯体コンクリート３との間に棒状部材４に挿通されるパネル支持部材６を有する。そして、パネル支持部材６を壁パネル１と当接させ、壁パネル１の躯体コンクリート３側からの位置が決まった段階で棒状部材４に溶接固定することで、壁パネル１を躯体コンクリート３側への動きを拘束する。これにより、壁パネル１の躯体コンクリート３側への動きを容易に拘束することができる。
【００２８】
また、図１（ｂ）において、棒状部材４の周縁に雄螺子（ボルト）を有し、パネル支持部材６の挿通穴部が雌螺子を有し、棒状部材４の壁パネル１に挿入されていない側にパネル支持部材６を挿通螺合させ、壁パネル１がパネル支持部材６に当接することで壁パネル１の躯体コンクリート３側への動きが拘束される構成としてもよい。この場合、棒状部材４あるいはパネル支持部材６を回転させ、パネル支持部材６を壁パネル１に当接させることで、壁パネル１の躯体コンクリート３側への動きが拘束される。また、パネル支持部材６を回転させることで、棒状部材４に沿ってパネル支持部材６が上下に移動する。このため、パネル支持部材６の躯体コンクリート３からの高さを精度よく調整することができる。
【００２９】
パネル支持部材としてナットを用いることもできる。この場合、ナットからパネルに大きな応力がかかることが予想される場合には、パネル１とナットの間に板状部材を設けることが好ましい。上部の面積がナットよりも大きな面積をもつ板状部材を設けると、板状部材がナットからパネルにかかる応力を分散させるため、より耐久力のある構造とすることができる。
【００３０】
また、図１（ｃ）に示すように、壁パネル１と躯体コンクリート３とのクリアランスが大きな場合には、壁パネル１と躯体コンクリート３との間に、躯体コンクリート３側に当接固着するモルタル層またはコンクリート層７を有する。これにより、棒状部材４の支持力を高め、ぐらつきを防止することができる。
【００３１】
なお、本実施形態の取付部は壁パネルの下部のみには限らず、上部、水平部等のあらゆる方向が考えられる。つまり、壁パネルと躯体コンクリートが図１のごとく対峙した関係にあれば、建物内の全ての方向について取り付けが可能である。
【００３２】
また、壁パネル１が風圧力、地震力等、大きな水平荷重に対して耐えうる性能を要求される場合は、取付構造の数を増やすことで、壁パネル表面の見栄えを変えずに大きな水平荷重に対しても耐えることが可能となる。
【００３３】
次に、壁パネルの取り付けについて説明する。
【００３４】
図２は壁パネルを躯体コンクリートへ取り付けた状態図であり、（ａ）が断面図で（ｂ）が内観図である。
【００３５】
壁パネル１を躯体コンクリート３に取り付ける際には、まず、壁パネル１の小口１ａから壁パネル１の面内方向に向かって設けられた長孔部２に、棒状部材４の壁パネル１側の一端を挿入する。これにより、棒状部材４の移動方向が壁パネル１の面内方向（本実施形態においては上下方向）に規制される。
【００３６】
次に、壁パネル１にパネル支持部材６を当接させた状態で雄螺子を有する棒状部材４あるいはパネル支持部材６を回転させる。そして、棒状部材４の壁パネル１に挿入されていない側の端部４ａを躯体コンクリート３に当接させる。
【００３７】
次に、端部４ａの周囲をモルタル等の硬化物５で覆う。すると、硬化物５の作用により、棒状部材４と躯体コンクリート３とが一体化し、固定される。
【００３８】
また、壁パネル１と躯体コンクリート３とのクリアランスが大きな場合には、壁パネル１と躯体コンクリート３との間に躯体コンクリート３に当接固着するモルタル層またはコンクリート層７を形成する。これにより、棒状部材４の支持力を高め、ぐらつきを防止する。尚、当接固着するのは、モルタル層及びコンクリート層の双方でもよい。
【００３９】
なお、地震時の層間変形等で壁パネル１が躯体コンクリート３に対して、棒状部材４が躯体コンクリート３と当接する側の端部を中心に回転する動きが想定される場合には、図２のごとく、壁パネル１と躯体コンクリート３との間に空間を設けて該空間部には変形に対して追従性の高い材料、例えばシーリング材８を充填すればよい。また、壁パネル１の上部がスライドできるなど、壁パネル１が殆ど回転しないことが想定される場合には、壁パネル１と躯体コンクリート３との間に隙間無くモルタル、又はコンクリートを充填してもよい。
【産業上の利用可能性】
【００４０】
本発明はＲＣ造、ＳＲＣ造以外のコンクリート躯体、例えばＳ造の建物のスラブコンクリート部分にも応用することができる。
【図面の簡単な説明】
【００４１】
【図１】躯体コンクリートへの壁パネル取付構造の骨子を示す断面図。
【図２】壁パネルを躯体コンクリートへ取り付けた状態図。
【図３】従来例に係る壁パネルの下部と躯体との接続部を示す図。
【符号の説明】
【００４２】
１…壁パネル、１ａ…小口、２…長孔部、３…躯体コンクリート、４…棒状部材、４ａ…端部、５…硬化物、６…パネル支持部材、７…コンクリート層、８…シーリング材、１３…壁パネル、１４…躯体コンクリート、１５…埋込プレート、１６…下地アングル、１７…ボルト
【図１】
2008196198.tif 000003
【図２】
2008196198.tif 000004
【図３】
2008196198.tif 000005